(57)【要約】      （修正有）【課題】処方された薬の飲み忘れや誤飲を防止する。【解決手段】薬収納装置８０と端末装置１とを備える薬提供システムであって、端末装置１は、処方された薬の登録を受け付けると、当該薬の服用タイミング及び当該服用タイミングで服用する薬の服用数を含む服用スケジュールを作成する作成部７１と、処方された薬の種類毎に当該薬を収納する収納部８３を決定する決定部７２と、服用タイミングになると服用する薬の服用数、及び当該薬を収納している収納部８３を特定する特定部７３と、特定した薬の服用数を出力する端末側出力部３と、決定又は特定した収納部８３を薬収納装置８０に通知する通知部７４と、を備え、薬収納装置８０は、通知された収納部８３の場所を職員に対して知らせるＬＥＤ８３１を備える。【選択図】図２
2015207184.tif 000002
【特許請求の範囲】
【請求項１】
複数の収納部を有する薬収納装置と、当該薬収納装置と通信可能に接続された端末装置とを備える薬提供システムであって、
前記端末装置は、
処方された薬の登録を受け付けると、当該薬の服用タイミング及び当該服用タイミングで服用する薬の服用数を含む服用スケジュールを作成する作成部と、
処方された薬の種類毎に当該薬を収納する収納部を決定する決定部と、
前記服用スケジュールにおいて規定する服用タイミングになると、当該服用タイミングで服用する薬の服用数、及び当該薬を収納している収納部、を特定する特定部と、
前記特定部が特定した少なくとも前記薬の服用数を出力する端末側出力部と、
前記決定部が決定した収納部、又は前記特定部が特定した収納部を、前記薬収納装置に通知する通知部と、
を備え、
前記薬収納装置は、
複数の前記収納部のうち、前記端末装置から通知された前記収納部の場所を出力する収納側出力部、
を備える薬提供システム。
【請求項２】
前記薬収納装置は、
前記収納部をロックするロック部と、
前記端末装置からの通知に応じて、通知された前記収納部に対する前記ロック部によるロックを解除する制御部と、
を備える請求項１に記載の薬提供システム。
【請求項３】
前記端末装置は、
ユーザからの所定の操作を受け付ける操作受付部を備え、
前記薬収納装置の収納側出力部は、前記操作受付部が前記所定の操作を受け付ける度に、当該複数の収納部のうちの一の収納部の場所を出力し、
前記薬収納装置の前記制御部は、前記操作受付部が前記所定の操作を受け付ける度に、当該複数の収納部のうちの一の収納部に対する前記ロック部によるロックを解除する、
請求項２に記載の薬提供システム。
【請求項４】
前記端末装置は、複数の患者の服用スケジュールを管理し、
前記薬収納装置は、複数の患者の夫々について、処方された薬を当該薬の種類毎に収納する、
請求項１から３のいずれかに記載の薬提供システム。
【請求項５】
前記端末装置の前記端末側出力部は、前記服用タイミングで服用すべき薬の画像情報も併せて出力する、
請求項１から４のいずれかに記載の薬提供システム。
【請求項６】
前記端末装置は、
前記特定部が特定した前記薬の服用数に基づいて、収納部に収納される当該薬の残数を管理する管理部を更に備え、
前記端末装置の前記端末側出力部は、前記残数が所定数以下になると、所定の警告を行う、
請求項１から５のいずれかに記載の薬提供システム。
【請求項７】
前記服用スケジュール及び前記収納部に収納されている薬の種類を、所定のタイミングで前記端末装置から取得する管理サーバ、
を更に備える請求項１から６のいずれかに記載の薬提供システム。
【請求項８】
薬収納装置が有する複数の収納部の夫々に収納された薬を患者に対して提供する薬提供方法であって、
前記薬収納装置と通信可能に接続された端末装置が実行する、
処方された薬の登録を受け付けると、当該薬の服用タイミング及び当該服用タイミングで服用する薬の服用数を含む服用スケジュールを作成するステップと、
処方された薬の種類毎に当該薬を収納する収納部を決定するステップと、
決定した前記収納部を、前記薬収納装置に通知するステップと、
前記薬収納装置が実行する、
複数の前記収納部のうち、前記端末装置から通知された前記収納部の場所を出力するステップと、
前記端末装置が実行する、
前記服用スケジュールにおいて規定する服用タイミングになると、当該服用タイミングで服用する薬の服用数、及び当該薬を収納している収納部、を特定するステップと、
特定した少なくとも前記薬の服用数を出力するステップと、
前記薬収納装置が実行する、
複数の前記収納部のうち、前記端末装置から通知された前記収納部の場所を出力するステップと、
を含む薬提供方法。
【発明の詳細な説明】
【技術分野】
【０００１】
本発明は、薬提供システム及び薬提供方法に関する。
【背景技術】
【０００２】
薬を所定時間毎に服用する患者にとって、薬の飲み忘れや誤飲は好ましくない。そこで、従来より、処方された薬の飲み忘れや誤飲を防止する試みが多数なされている。
例えば、特許文献１には、薬ケースにアラーム装置を設け、服用スケジュールになるとアラーム通知することで、薬の飲み忘れを防止する工夫、また、薬ケースにロック機構を設け、服用スケジュールに従いロックを解除することで、誤飲を防止する工夫が開示されている。
【先行技術文献】
【特許文献】
【０００３】
【特許文献１】特開２００３−３２５６４３号公報
【発明の概要】
【発明が解決しようとする課題】
【０００４】
ところで、従来の薬ケースでは、処方された薬を一回分に分けた上で、複数の収納部の夫々に一回分の薬を収納し管理することとしている。このような薬ケースでは、患者は、ロックが解除された収納部に収納された一回分の薬を服用すればよいため、一見すると利便性が高いものの、薬を一回分に分けて収納しなければならず、全体として見た場合の利便性は低い。
特に、病院や老人介護施設等のような施設において、複数の患者の薬を管理する場合、複数の患者の夫々について薬を一回分に分けなければならず煩わしく、また、収納間違いが生じやすい。そして、収納間違いが生じた場合は、誤飲に直結してしまうため、更なる改善の余地があった。
【０００５】
本発明は、このような問題に鑑みてなされたものであり、処方された薬の飲み忘れや誤飲を防止可能な薬提供システム及び薬提供方法を提供することを目的とする。
【課題を解決するための手段】
【０００６】
本発明の第１の態様においては、複数の収納部を有する薬収納装置と、当該薬収納装置と通信可能に接続された端末装置とを備える薬提供システムを提供する。この薬提供システムにおいて、処方された薬の登録を受け付けると、当該薬の服用タイミング及び当該服用タイミングで服用する薬の服用数を含む服用スケジュールを作成する作成部と、処方された薬の種類毎に当該薬を収納する収納部を決定する決定部と、前記服用スケジュールにおいて規定する服用タイミングになると、当該服用タイミングで服用する薬の服用数、及び当該薬を収納している収納部、を特定する特定部と、前記特定部が特定した少なくとも前記薬の服用数を出力する端末側出力部と、前記決定部が決定した収納部、又は前記特定部が特定した収納部を、前記薬収納装置に通知する通知部と、を備え、前記薬収納装置は、複数の前記収納部のうち、前記端末装置から通知された前記収納部の場所を出力する収納側出力部、を備える。
【０００７】
また、前記薬収納装置は、前記収納部をロックするロック部と、前記端末装置からの通知に応じて、通知された前記収納部に対する前記ロック部によるロックを解除する制御部とを備えることとしてもよい。
【０００８】
また、前記端末装置は、ユーザからの所定の操作を受け付ける操作受付部を備え、前記薬収納装置の収納側出力部は、前記操作受付部が前記所定の操作を受け付ける度に、当該複数の収納部のうちの一の収納部の場所を出力し、前記薬収納装置の前記制御部は、前記操作受付部が前記所定の操作を受け付ける度に、当該複数の収納部のうちの一の収納部に対する前記ロック部によるロックを解除することとしてもよい。
【０００９】
また、前記端末装置は、複数の患者の服用スケジュールを管理し、前記薬収納装置は、複数の患者の夫々について、処方された薬を当該薬の種類毎に収納することとしてもよい。
【００１０】
また、前記端末装置の前記端末側出力部は、前記服用タイミングで服用すべき薬の画像情報も併せて出力することとしてもよい。
【００１１】
また、前記端末装置は、前記特定部が特定した前記薬の服用数に基づいて、収納部に収納される当該薬の残数を管理する管理部を更に備え、前記端末装置の前記端末側出力部は、前記残数が所定数以下になると、所定の警告を行うこととしてもよい。
【００１２】
また、前記服用スケジュール及び前記収納部に収納されている薬の種類を、所定のタイミングで前記端末装置から取得する管理サーバを更に備えることとしてもよい。
【００１３】
また、本発明の第２の態様においては、薬収納装置が有する複数の収納部の夫々に収納された薬を患者に対して提供する薬提供方法を提供する。この薬提供方法は、薬収納装置が有する複数の収納部の夫々に収納された薬を患者に対して提供する薬提供方法であって、前記薬収納装置と通信可能に接続された端末装置が実行する、処方された薬の登録を受け付けると、当該薬の服用タイミング及び当該服用タイミングで服用する薬の服用数を含む服用スケジュールを作成するステップと、処方された薬の種類毎に当該薬を収納する収納部を決定するステップと、決定した前記収納部を、前記薬収納装置に通知するステップと、前記薬収納装置が実行する、複数の前記収納部のうち、前記端末装置から通知された前記収納部の場所を出力するステップと、前記端末装置が実行する、前記服用スケジュールにおいて規定する服用タイミングになると、当該服用タイミングで服用する薬の服用数、及び当該薬を収納している収納部、を特定するステップと、特定した少なくとも前記薬の服用数を出力するステップと、前記薬収納装置が実行する、複数の前記収納部のうち、前記端末装置から通知された前記収納部の場所を出力するステップと、を含む。
【発明の効果】
【００１４】
本発明によれば、処方された薬の飲み忘れや誤飲を防止することができる。
【図面の簡単な説明】
【００１５】
【図１】薬提供システムのシステム構成を示す図である。
【図２】薬提供システムの機能構成を示すブロック図である。
【図３】記憶部に記憶される服用情報の一例を示す図である。
【図４】薬提供システムの動作の概要を示す図である。
【図５】薬提供システムの動作の概要を示す図である。
【図６】薬提供システムの動作の概要を示す図である。
【図７】薬提供システムの処理の流れを示すフローチャートである。
【図８】薬提供システムの処理の流れを示すフローチャートである。
【発明を実施するための形態】
【００１６】
［薬提供システムＳの概要］
図１は、本発明の薬提供システムＳのシステム構成を示す図である。図１に示すように、薬提供システムＳは、端末装置１と薬収納装置８０とを含んで構成される。なお、薬提供システムＳは、所定のネットワークＮを介して端末装置１と通信可能に接続された管理サーバ９０を備えることとしてもよい。
【００１７】
薬提供システムＳは、薬を服用する患者がいる施設や住宅等に設置され、薬収納装置８０に収納された薬を患者に対して提供する。なお、本実施形態では、薬提供システムＳは、老人介護施設に設置されるものとする。
一例として、老人介護施設の各部屋に対して薬収納装置８０を設置し、同室内の患者の薬を薬収納装置８０に収納する。そして、本実施形態の薬提供システムＳは、各部屋に設置された薬収納装置８０と、任意の数の端末装置１とを有線又は無線で通信可能に接続することで構成される。なお、端末装置１と薬収納装置８０とは、１対１の関係で対応することとしてもよく、１対複数の関係で対応することとしてもよい。
【００１８】
端末装置１は、老人介護施設の職員（又は患者）に用いられる任意の端末装置であり、本実施形態では、タブレット型の携帯端末である。端末装置１は、患者の服用スケジュールを管理し、この服用スケジュールに従い薬収納装置８０に対して薬を服用する服用タイミング等の通知等を行う。
【００１９】
薬収納装置８０は、内部に薬を収納する複数の収納部８３を備え、老人介護施設の患者に処方された薬を収納する。複数の収納部８３の夫々には、ＬＥＤ８３１と、ロック部８３２とが設けられる。
ＬＥＤ８３１は、収納側出力部として機能し、点灯又は点滅することで、複数の収納部８３の中の一の収納部８３の場所を、職員が把握可能に通知する。ロック部８３２は、職員が開放できないように収納部８３をロックし、誤った場所に薬を収納してしまうことや、誤った場所から薬を取り出してしまうことを防止する。ロック部８３２によるロックは、後述するように端末装置１からの通知に基づいて解除される。
【００２０】
管理サーバ９０は、任意のタイミングで端末装置１から服用スケジュール等の各種情報を取得し、端末装置１で管理する各種情報のバックアップを行う。一例として、老人介護施設の規模によっては、端末装置１が複数必要になる場合がある。このような場合に、管理サーバ９０が各種情報を一元的に管理することで、服用管理を適切に行うことができ、好適である。
【００２１】
以上のような薬提供システムＳでは、処方された薬の飲み忘れや処方された薬の誤飲を防止する。以下、本発明の薬提供システムＳの具体的な構成について説明する。
【００２２】
［端末装置１の構成］
図２は、薬提供システムＳを構成する端末装置１と薬収納装置８０との機能構成を示すブロック図である。図２に示すように、端末装置１は、操作受付部２と、端末側出力部３と、記憶部４と、読取部５と、通信部６と、制御部７と、を含んで構成される。
【００２３】
操作受付部２は、端末装置１を用いる職員からの操作入力を受け付ける。操作受付部２は、マウス、キーボードや各種ボタン等の任意のデバイスであるが、本実施形態のように端末装置１をタブレット型の携帯端末で構成する場合には、タッチパネル等を採用することもできる。
【００２４】
端末側出力部３は、例えば、液晶ディスプレイや有機ＥＬ（Electro-Luminescence）ディスプレイ等により構成され、制御部７の制御の下に端末装置１を用いる職員に対して各種情報を出力する。もちろん、端末側出力部３の出力態様は任意であり、映像（画像）の出力に限らず、音声や印刷等の任意の方法で各種情報を出力することとしてもよい。
【００２５】
記憶部４は、例えば、ＲＯＭ及びＲＡＭ等により構成される。記憶部４は、端末装置１を機能させるための各種プログラムを記憶する。例えば、記憶部４は、端末装置１を後述する作成部７１、決定部７２、特定部７３、通知部７４及び管理部７５として機能させるためのプログラムを記憶する。記憶部４は、外部メモリ等の記憶媒体に記憶されたプログラムを読み取って記憶してもよく、ネットワークを介して外部機器からダウンロードされたプログラムを記憶してもよい。
【００２６】
また、記憶部４は、患者毎の服用情報を記憶する。ここで、記憶部４に記憶される服用情報の一例を図３に示す。図３に示すように、記憶部４は、患者毎に、患者に処方された薬の種類、当該薬の服用スケジュール、当該薬が処方された日、当該薬の残数、及び当該薬の収納場所等の情報を含む服用情報を記憶する。なお、服用スケジュールは、薬を服用する服用タイミングと当該服用タイミングで服用する薬の服用数とを含む。また、記憶部４は、薬の画像情報（又は画像情報が存在する位置情報）も記憶することとしてもよい。
記憶部４に記憶される服用情報は、制御部７により生成され、また、更新される。
【００２７】
図２に戻り、読取部５は、処方せんに付されたＱＲコード（登録商標）等の二次元コードを読み取り可能なコードリーダーである。本実施形態のように端末装置１をタブレット型の携帯端末で実現する場合、読取部５は、端末装置１の撮影部と所定のアプリケーションにより構成される。
近年、院外処方せんの電子管理が注目されており、ＪＡＨＩＳ（保健医療福祉情報システム工業会）により二次元コードの仕様がまとめられている。読取部５は、この仕様に沿って作成された二次元コードを読み取ることで、処方された薬や当該薬の用法・用量等の各種情報を取得する。二次元コードは、ＪＡＨＩＳが定めた二次元コードに限られるものではなく、製薬企業、病院、薬局、大学等が独自に定めた任意の二次元コードであっても利用することができる。読取部５が二次元コードを読み取ることで得られた処方せんに関する情報は、制御部７に入力される。
【００２８】
通信部６は、所定の通信回線を介して外部機器との間で通信を行う。一例として、通信部６は、ＵＳＢ（Universal  Serial  Bus）等を介して薬収納装置８０との間で通信を行う。また、通信部６は、インターネット等の所定のネットワークＮを介して管理サーバ９０との間で通信を行う。
【００２９】
制御部７は、例えば、ＣＰＵにより構成される。制御部７は、記憶部４に記憶されている各種プログラムを実行することにより、端末装置１に係る機能を統括的に制御する。具体的には、本実施形態において制御部７は、作成部７１と、決定部７２と、特定部７３と、通知部７４と、管理部７５と、を含んで構成される。
【００３０】
作成部７１は、処方された薬の登録を受け付けると、当該薬の服用タイミング及び当該服用タイミングで服用する薬の服用数を含む服用スケジュールを作成する。ここで、処方された薬の登録方法は任意であるが、本実施形態では、処方せんに付された二次元コードを読取部５で読み取ることで、処方された薬を登録する。
処方せんに付された二次元コードからは、処方された薬の種類、数、用量及び用法等の情報を取得することができる。そのため、例えば、「薬Ａ」について「１日２回（朝・夕）、１回１錠服用」といった情報が得られた場合、作成部７１は、「薬Ａ」について服用タイミング「朝」、服用数「１錠」、服用タイミング「夕方」、服用数「１錠」といった服用スケジュールを作成することができる。作成部７１が作成した服用スケジュールは、処方された患者及び処方された薬の種類に対応付けて記憶部４に記憶される。
【００３１】
なお、処方された薬の登録は、二次元コードの読み取り以外の任意の方法により行うこととしてもよい。例えば、薬を登録する登録画面を患者や職員等に提供し、この登録画面を介して処方された薬を登録することとしてもよい。このような登録画面を設けることで、処方せんに二次元コードが付されていない場合であっても、薬の登録を確実に行うことができ、好適である。
【００３２】
決定部７２は、作成部７１による服用スケジュールの作成に併せて、処方された薬を収納する収納部８３を決定する。具体的には、決定部７２は、複数の収納部８３のうち、薬を収納していない収納部８３の中の一の収納部８３を処方された薬を収納する収納部８３として決定する。ここで、本実施形態では、従来のように薬を一回分に分けて収納するのではなく、薬の種類毎にまとめて収納する。即ち、本実施形態では、同じ種類の薬は全てまとめて一つの収納部８３に収納する。そのため、例えば、「薬Ａ」「薬Ｂ」「薬Ｃ」が処方された場合には、決定部７２は、「薬Ａ」を収納する収納部８３、「薬Ｂ」を収納する収納部８３、「薬Ｃ」を収納する収納部８３の夫々を決定する。
決定部７２が決定した収納部８３は、収納場所として記憶部４に記憶されるとともに（図３参照）、通知部７４の制御の下、通信部６を介して薬収納装置８０に通知される。
【００３３】
なお、薬を定期的に服用する患者は、薬をきらすことなく服用するために、薬がなくなる前に新たな処方を受けることがある。このような場合、患者には、当該患者用の薬として収納部８３に収納されている薬と同一の薬が処方されることになる。そこで、決定部７２は、収納部８３に収納されている薬と同一の薬が同一の患者に処方された場合には、この収納部８３を、処方された薬を収納する収納部８３として決定することとしてもよい。
【００３４】
特定部７３は、作成した服用スケジュールにおいて規定する服用タイミングになると、記憶部４を参照して、当該服用タイミングで服用する薬に関する情報を特定する。特定部７３は、少なくとも服用タイミングで服用する薬の種類、当該薬の服用数、及び当該薬を収納している収納部８３を特定し、加えて、当該薬の画像情報を特定することとしてもよい。
特定部７３が特定した薬の種類、服用数及び画像情報等は、制御部７の制御の下、端末側出力部３を介して出力（表示）され、老人介護施設の職員に通知される。また、特定部７３が特定した薬の収納場所は、通知部７４の制御の下、通信部６を介して薬収納装置８０に通知される。
【００３５】
通知部７４は、処方された薬の登録時に決定部７２により決定された収納場所、又は服用タイミングに特定部７３により特定された収納場所を、通信部６を介して薬収納装置８０に通知する。
【００３６】
管理部７５は、特定部７３が特定した薬の服用数に基づいて、収納部８３に収納されている当該薬の残数を管理する。具体的には、管理部７５は、記憶部４に服用情報として記憶されている残数を、服用タイミングで服用する服用数に基づいて更新する。
管理部７５は、薬の残数が所定数以下になると端末側出力部３を制御し、残数が少ないことを示す所定の警告を行う。これにより、職員や患者は、少なくなった薬を把握することができ、患者が常用する薬をきらしてしまうことを防止できる。
【００３７】
［薬収納装置８０の構成］
薬収納装置８０は、通信部８１と、制御部８２と、上述した収納部８３と、を含んで構成される。
通信部８１は、所定の通信回線を介して外部機器との間で通信を行う。一例として、通信部８１は、ＵＳＢ等を介して端末装置１との間で通信を行う。
【００３８】
制御部８２は、例えば、ＣＰＵにより構成される。制御部８２は、通信部８１を介して端末装置１から通知された収納場所に対応する収納部８３を制御する。
具体的には、制御部８２は、複数の収納部のうち、端末装置１から通知された収納部８３（収納場所）を職員が把握可能に、当該収納部８３を出力する。出力の態様は、通知された収納部８３を職員が把握可能であればよく任意であるが、本実施形態では、ＬＥＤ８３１を点灯又は点滅させることで、通知された収納部８３の場所を出力する。
【００３９】
また、制御部８２は、端末装置１からの通知に応じて、通知された収納部８３に対するロック部８３２によるロックを解除する。このように、本実施形態では、複数の収納部８３は、通常、ロック部８３２によりロックされており、端末装置１から収納場所の通知があるとロックが解除される。なお、既に説明した通り、端末装置１から通知される収納場所は、薬登録時に決定部７２により決定される薬を収納する収納部８３、及び薬服用時に特定部７３により特定される薬を取り出す収納部８３である。そのため、本実施形態では、薬を収納又は取り出す一の収納部８３のみ、ロック解除され開放可能になる。
【００４０】
なお、ロック部８３２は、制御部８２の制御によりロック解除可能であればよく、具体的な構成については任意である。また、ロック部８３２は、制御部８２の制御に加え、所定の鍵を用いてロック解除可能にしてもよい。このようにすることで、端末装置１や薬収納装置８０が故障等した場合であっても、薬を収納又は取り出すことができ好適である。
【００４１】
［薬提供システムＳの動作］
以上、薬提供システムＳの構成について説明した。続いて、薬提供システムＳの動作の概要について説明する。図４は、処方された薬の登録時の薬提供システムＳの動作を示す図である。
【００４２】
図４（Ａ）に示すように、処方せん１００には、ＱＲコード等の二次元コード１０１が付されている。職員や患者は、端末装置１の読取部５を用いてこの二次元コード１０１を読み込む。その結果、図４（Ｂ）に示すように、端末装置１は、処方された薬の種類や用法・用量等の各種情報を得ることができる。
二次元コード１０１から各種情報を得ると、図４（Ｃ）に示すように、端末装置１の作成部７１は、当該薬が処方された患者の服用スケジュールを作成し、端末装置１の決定部７２は、処方された薬の種類毎に当該薬を収納する収納部８３（収納場所）を決定する。
【００４３】
続いて、図５は、決定部７２により決定された収納部８３に処方された薬を収納する場合の薬提供システムＳの動作を示す図である。
【００４４】
決定部７２が収納場所を決定すると、図５（Ａ）に示すように、端末装置１の端末側出力部３は、処方された薬の収納を促すメッセージ表示を行う。ここで、本実施形態では、一の収納部８３に対して一種類の薬を収納することとしているため、複数種類の薬が処方された場合は、夫々の種類の薬を別々の収納部８３に収納することになる。このとき、夫々の種類の薬の収納を一度にまとめて促すと収納間違いに繋がり易い。そこで、本実施形態では、複数種類の薬が処方された場合、端末装置１は、一種類の薬の収納を促すことを繰り返すことで、複数種類の薬の収納を職員等に対して適切に促す。図５に示す例では、「薬Ａ」の収納を促した後に、「薬Ｂ」の収納を促している。
【００４５】
また、図５（Ａ）に示すように、端末側出力部３は、収納する薬の画像１１１等も併せて表示することとしてもよい。職員等にとってみれば、この画像１１１を見ることで、処方された複数種類の薬の中から収納する薬を適切に把握でき、好適である。
【００４６】
図５（Ａ）のような表示と併せて、端末装置１の通知部７４は、通信部６を介して決定部７２が決定した収納場所を薬収納装置８０に通知する。この通知を受けると、図５（Ｂ）に示すように、薬収納装置８０は、通知された収納場所に対応する収納部８３Ａのロック部８３２Ａによるロックを解除するとともに、ＬＥＤ８３１Ａを点灯し収納部８３Ａを職員等が把握可能にする。
【００４７】
この場合においても、薬収納装置８０は、一のＬＥＤ８３１Ａ及びロック部８３２Ａのみを点灯又はロック解除することで、収納間違いを防止する。なお、一のＬＥＤ８３１Ａ及びロック部８３２Ａのみを制御する具体的な方法は任意である。一例として、複数種類の薬が処方された場合に、端末装置１から薬収納装置８０に対して一の収納場所のみを通知することを繰り返すことで当該制御を実現することとしてもよく、また、端末装置１から薬収納装置８０には複数の収納場所を一度にまとめて通知しておく一方で、薬収納装置８０が複数の収納場所のうちの一の収納場所に対する制御を繰り返すことで、当該制御を実現することとしてもよい。
【００４８】
職員等がＬＥＤ８３１Ａの点灯により通知されロック解除された一の収納部８３Ａに対して薬を収納すると、職員等は、端末装置１において「収納完了」ボタン１１２（図５（Ａ）参照）を操作する。この「収納完了」ボタン１１２の操作に応じて、端末装置１の端末側出力部３は、処方された別の薬の収納を促す。図５（Ｃ）に示す例では、端末側出力部３は、「薬Ａ」とは別の「薬Ｂ」の収納を促している。
【００４９】
また、「収納完了」ボタン１１２の操作に応じて、端末装置１から薬収納装置８０に対して所定の通知が行われる。この通知を受けると、図５（Ｄ）に示すように、薬収納装置８０は、別の薬（薬Ｂ）を収納する収納場所に対応する収納部８３Ｂのロック部８３２Ｂによるロックを解除するとともに、ＬＥＤ８３１Ｂを点灯し収納部８３Ｂを把握可能にする。
【００５０】
なお、ＬＥＤ８３１及びロック部８３２は、任意のタイミングで消灯及び再ロックされる。一例として、薬収納装置８０の制御部は、「収納完了」ボタン１１２の操作に伴う所定の通知を受けると、ＬＥＤ８３１の消灯及びロック部８３２の再ロックを行う。
【００５１】
このように薬提供システムＳでは、端末装置１の制御に基づいて、収納部８３のロック解除等を一つずつ行うため、誤った場所に薬を収納してしまうことを防止できる。また、薬提供システムＳでは、一の薬の収納を促すことを繰り返すため、誤った薬を収納してしまうことを防止できる。これにより、薬提供システムＳでは、誤飲を確実に防止できるとともに、薬収納装置８０における薬の収納状況を端末装置１において把握できるため、スケジュール管理を適切に行うことができる。
【００５２】
続いて、図６は、服用スケジュールに従い服用すべき薬を職員等に通知する場合の薬提供システムＳの動作を示す図である。
【００５３】
端末装置１では服用スケジュールに従い、薬を服用するタイミングの患者を職員等に対して通知する。図６（Ａ）に示す例では、「Ａさん」「Ｂさん」が薬を服用するタイミングであることを示している。図６（Ａ）においてボタン１２１が操作されると、「Ａさん」が服用する薬を薬収納装置８０から取り出すための制御が行われ、ボタン１２２が操作されると、「Ｂさん」が服用する薬を薬収納装置８０から取り出すための制御が行われる。
なお、以下では、ボタン１２１が操作、即ち「Ａさん」が服用する薬を取り出す場合の動作例について説明する。
【００５４】
ボタン１２１が操作されると、図６（Ｂ）に示すように、端末装置１の端末側出力部３は、「Ａさん」が服用する薬に関する情報を職員等に通知する。このとき、端末側出力部３は、服用する薬の種類に加え、夫々の薬の服用数情報１２３を併せて通知する。図６（Ｂ）に示す例では、端末側出力部３は、「薬Ａ」の服用数が「１錠」、「薬Ｂ」の服用数が「２錠」であることを通知している。
【００５５】
図６（Ｂ）において「取出」ボタン１２４が操作されると、図６（Ｃ）に示すように、端末側出力部３は、服用すべき薬の取り出しを促すメッセージ表示を行う。ここで、患者が複数種類の薬を服用する場合、端末側出力部３は、収納時と同様に、一種類の薬の取り出しを促すことを繰り返すことで、複数種類の薬の取り出しを職員等に対して適切に促す。図６（Ｃ）では、「薬Ａ」「薬Ｂ」のうち「薬Ａ」の取り出しを促している。
また、端末側出力部３は、取り出す薬の画像１２５等も併せて表示することで、職員等は、取り出す薬を適切に把握でき好適である。
【００５６】
また、図６（Ｂ）において「取出」ボタン１２４が操作されると、端末装置１の特定部７３は、記憶部４を参照して服用すべき薬の収納場所を特定し、端末装置１の通知部７４は、通信部６を介して特定した収納場所を薬収納装置８０に通知する。この通知を受けると、図６（Ｄ）に示すように、薬収納装置８０は、通知された収納場所に対応する収納部８３Ｃのロック部８３２Ｃによるロックを解除するとともに、ＬＥＤ８３１Ｃを点灯し、職員等が収納部８３Ｃを把握可能にする。
この場合においても、薬収納装置８０は、収納時と同様に、複数のＬＥＤ８３１及びロック部８３２のうちの一のＬＥＤ８３１Ｃ及びロック部８３２Ｃのみを点灯又はロック解除する。また、薬収納装置８０は、ＬＥＤ８３１Ｃ及びロック部８３２Ｃを消灯及び再ロックも、収納時と同様に任意のタイミングで行う。
【００５７】
ところで、従来は薬を一回分に分けて収納していたため、収納が煩わしいものの、収納されている薬を全て取り出せばよく、収納が適切に行われている場合に誤飲が生じにくかった。この点、薬提供システムＳでは、薬を種類毎に収納しているため、収納は容易であるものの、収納が適切に行われている場合であっても、服用数が異なるといった誤飲が生じる可能性がある。
そこで、本発明の薬提供システムＳは、服用すべき薬の取り出しを促す際に取り出す薬の数も併せて通知することとしている。即ち、図６（Ｃ）に示す例では、「薬Ａ」の服用数が「１錠」であることを示す服用数情報１２６を職員等に通知している。このような服用数情報１２６の通知を、収納場所のロック解除及び通知と併せて行うことで、職員等による取り出し間違いを確実に防止できるため、誤飲を確実に防止できる。
【００５８】
職員等がＬＥＤ８３１Ｃの点灯により通知されロック解除された一の収納部８３Ｃから薬を取り出すと、職員等は、端末装置１において「取出完了」ボタン１２７（図６（Ｃ）参照）を操作する。この「取出完了」ボタン１２７の操作に応じて、端末装置１の端末側出力部３は、服用すべき別の薬の取り出しを促す。図６（Ｅ）に示す例では、端末側出力部３は、「薬Ａ」とは別の「薬Ｂ」の取り出しを促している。
このとき、端末側出力部３は、「薬Ｂ」の服用数が「２錠」であることを示す服用数情報１２８を職員等に通知する。
【００５９】
また、「取出完了」ボタン１２７の操作に応じて、端末装置１から薬収納装置８０に対して所定の通知が行われる。この通知を受けると、図６（Ｆ）に示すように、薬収納装置８０は、別の薬（薬Ｂ）を収納する収納部８３Ｄのロック部８３２Ｄによるロックを解除するとともに、ＬＥＤ８３１Ｄを点灯し、職員等が収納部８３Ｄを把握可能にする。
【００６０】
このようにして服用すべき薬を全て取り出すと、図６（Ｇ）に示すように、端末装置１には服用したことを確認するための確認画面が表示される。この確認画面において、「服用」ボタン１２９が操作されると、図６（Ｈ）に示すように、患者による薬の服用履歴が記録される。このとき、端末装置１の管理部７５は、「服用」ボタン１２９の操作に応じて、服用した薬の残数を更新する。図６に示す例では、管理部７５は、「薬Ａ」の残数を「１錠」減算し、「薬Ｂ」の残数を「２錠」減算する。
【００６１】
［薬提供システムＳの処理］
続いて、薬提供システムＳの処理の流れについて説明する。図７は、処方された薬の登録時の薬提供システムＳの処理の流れの一例を示すフローチャートである。
【００６２】
図７に示すように、ステップＳ１において、端末装置１の読取部５は、処方せんに付された二次元コードを読み取り、処方された薬に関する各種情報を取得する。続いて、ステップＳ２において、端末装置１の作成部７１は、取得した情報に基づいて服用スケジュールを作成し、記憶部４に記憶する。また、ステップＳ３において、端末装置１の決定部７２は、処方された薬の収納場所を、薬の種類毎に決定する。
【００６３】
続いて、ステップＳ４において、端末装置１の通知部７４は、ステップＳ３で決定した薬の収納場所を、通信部６を介して薬収納装置８０に対して通知する。
【００６４】
この通知を受けると、薬収納装置８０では、通知された収納場所に対応する収納部８３のＬＥＤ８３１を点灯させるとともに（ステップＳ１１）、当該収納部８３のロックを解除する（ステップＳ１２）。
【００６５】
他方、端末装置１では、薬収納装置８０に収納場所の通知を行った後、端末側出力部３において当該収納場所に収納する薬の画像を表示するとともに、薬の収納を促す（ステップＳ５）。続いて、端末装置１では、操作受付部２を介して収納完了指示を受け付けるまで待機する（ステップＳ６）。このとき、収納完了指示を受け付けると、端末装置１は、薬収納装置８０に対して収納完了を通知する。
【００６６】
この通知を受けると、薬収納装置８０では、点灯していたＬＥＤ８３１を消灯させるとともに（ステップＳ１３）、ロック解除していた収納部８３を再ロックする（ステップＳ１４）。
【００６７】
他方、端末装置１では、収納完了指示を受け付けた後、収納した薬に対応付けて収納場所を記憶する（ステップＳ７）。続いて、ステップＳ８において、端末装置１は、処方された全ての薬を収納したか否かを判定する。このとき、未だ収納していない薬がある場合には、端末装置１は、処理をステップＳ４に移し、全ての薬を収納した場合には、端末装置１は、処理を終了する。
【００６８】
続いて、図８は、服用スケジュールに従い服用すべき薬を職員等に通知する際の処理の流れの一例を示すフローチャートである。
図８に示すように、ステップＳ２１において、端末装置１は、服用タイミングであるか否かを判定する。このとき、服用タイミングになると、ステップＳ２２において、端末装置１の端末側出力部３は、当該タイミングで服用する薬の服用内容を表示する。
【００６９】
続いて、ステップＳ２３において、端末装置１の特定部７３は、記憶部４を参照して、服用する薬の収納場所を特定する。続いて、ステップＳ２４において、端末装置１の通知部７４は、ステップＳ２３で特定した薬の収納場所を、通信部６を介して薬収納装置８０に対して通知する。
【００７０】
この通知を受けると、薬収納装置８０では、通知された収納場所に対応する収納部８３のＬＥＤ８３１を点灯させるとともに（ステップＳ３１）、当該収納部８３のロックを解除する（ステップＳ３２）。
【００７１】
他方、端末装置１では、薬収納装置８０に収納場所の通知を行った後、端末側出力部３において当該収納場所から取り出す薬の画像を表示するとともに、取り出す薬の数を表示する（ステップＳ２５）。続いて、端末装置１では、操作受付部２を介して取り出し完了指示を受け付けるまで待機する（ステップＳ２６）。このとき、取り出し完了指示を受け付けると、端末装置１は、薬収納装置８０に対して取り出し完了を通知する。
【００７２】
この通知を受けると、薬収納装置８０では、点灯していたＬＥＤ８３１を消灯させるとともに（ステップＳ３３）、ロック解除していた収納部８３を再ロックする（ステップＳ３４）。
【００７３】
他方、端末装置１では、取り出し完了指示を受け付けた後、服用すべき全ての薬を取り出したか否かを判定する（ステップＳ２７）。このとき、未だ取り出していない薬がある場合には、端末装置１は、処理をステップＳ２４に移し、全ての薬を取り出した場合には、端末装置１は、処理をステップＳ２８に移す。
【００７４】
ステップＳ２８において、端末装置１は、操作受付部２を介して取り出した薬の服用完了指示を受け付けるまで待機する。このとき、服用完了指示を受け付けると、端末装置１の管理部７５は、記憶部４に記憶されている薬の残数を更新し（ステップＳ２９）、処理を終了する。
【００７５】
［薬提供システムＳの効果］
以上説明した本実施形態の薬提供システムＳによれば以下の効果を期待できる。
【００７６】
薬提供システムＳの端末装置１は、処方された薬の登録を受け付けると、服用スケジュールを作成するとともに、処方された薬を収納する収納部８３を薬の種類毎に決定し、薬収納装置８０に通知する。薬収納装置８０では、この通知を受けて、端末装置１から通知された収納部８３を職員等が把握可能にＬＥＤ８３１を点灯させる。
これにより、職員等は、薬を収納する収納部８３を明確に把握することができ、収納間違いを防止することができる。また、薬提供システムＳでは、一回分に小分けすることなく、薬の種類毎に収納部８３に薬を収納するため、収納作業が容易になり、小分け作業に伴う収納間違いが生じることがない。
【００７７】
また、端末装置１では、作成した服用スケジュールで規定する服用タイミングになると、服用すべき薬を収納している収納部８３を薬収納装置８０に通知する。薬収納装置８０では、この通知を受けて、端末装置１から通知された収納部８３を職員等が把握可能にＬＥＤ８３１を点灯させる。これにより、職員等は、薬を取り出す収納部８３を明確に把握することができ、取り出し間違いを防止することができる。
このとき、端末装置１では、服用すべき薬の服用数を表示する。職員等にとってみれば、この表示から取り出す薬の数を明確に把握できるため、一回分に小分けすることなく収納していた場合であっても、取り出し間違いを確実に防止することができる。
【００７８】
このように、本発明の薬提供システムＳでは、収納時の作業を簡略化する一方で、簡略化に伴い想定される取り出し間違いを端末装置１の制御により防止することとしている。その結果、本発明の薬提供システムＳによれば、処方された薬の飲み忘れを防止できるとともに、誤飲を確実に防止することができる。
【００７９】
また、本発明の薬提供システムＳは、汎用性の高い端末装置１と薬収納装置８０とにより構成され、端末装置１において服用スケジュールの管理や収納場所の管理を行う。これにより、薬収納装置８０自体に多くの機能を持たせる必要がなく汎用性を高めることができるとともに、薬収納装置８０の価格を抑えることができ、好適である。
また、端末装置１で管理する各種情報を他の端末装置に移すことで、例えば、外出時等であっても患者の服用スケジュールを管理することができる。
【００８０】
また、本発明の薬提供システムＳでは、薬収納装置８０の収納部８３をロックしておき、端末装置１からの通知によりロックを解除する。これにより、薬の収納間違い及び取り出し間違いを確実に防止できるとともに、端末装置１において薬収納装置８０に収納されている薬を適格に管理することができる。
【００８１】
また、本発明の薬提供システムＳは、複数種類の薬が処方された場合や複数種類の薬を服用する場合には、当該複数種類の薬を収納する又は取り出す複数の収納部８３のうちの一の収納部８３のみロック解除等を行う。これにより、薬の収納及び取り出し間違いを確実に防止でき、飲み忘れの防止や誤飲防止を実現することができる。
また、薬の収納及び取り出しを正確に行うことができるため、同一の患者に処方された複数種類の薬を収納する複数の収納部８３の位置関係を考慮する必要がない。即ち、患者毎に収納場所をまとめる必要がなく、空いた収納部８３から順に薬を収納していけば足り、端末装置１における制御を簡略化することができる。
【００８２】
また、本発明の薬提供システムＳでは、複数の患者の夫々に処方された薬を収納部８３に収納しておき、当該複数の患者の服用スケジュールに従い薬を収納及び取り出し可能に構成する。これにより、複数の患者の薬の服用状況を管理することができ、病院や老人介護施設等の施設において好適に利用することができる。
【００８３】
また、本発明の薬提供システムＳでは、端末装置１は、薬の収納や取り出し時に当該薬の画像情報を併せて表示する。これにより、薬の取り間違いを防止することができ、好適である。
【００８４】
また、本発明の薬提供システムＳでは、端末装置１は、服用スケジュールに規定された服用数に基づいて薬の残数を管理し、残数が所定数以下になると所定の警告を行う。これにより、患者は、薬がなくなる前に新たな処方を受けることができ、薬をきらすことがなく、好適である。
【００８５】
また、本発明の薬提供システムＳでは、管理サーバ９０が端末装置１において管理する各種情報のバックアップを行うため、端末装置１の故障時等であっても早急な対応が可能になり、患者の安全性を確保することができる。
【００８６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００８７】
例えば、上記実施形態では服用タイミングになると収納部８３のロックを解除し、収納している薬を取り出し可能にしている。即ち、上記実施形態では、服用タイミング以外の薬の取り出しは、特に考慮していない。この点、患者は、外出時等に薬収納装置８０とは異なる場所で薬を服用することがある。このような場合には、服用タイミングになる前に予め薬を取り出し可能にすることが好ましい。
そこで、本発明の薬提供システムＳは、端末装置１において外出する時間帯等の将来の服用予定を選択することで、ロックを解除し、収納部８３から薬を取出し可能にすることとしてもよい。
【００８８】
また、上記実施形態では、収納側出力部としてＬＥＤ８３１を採用し、点灯／消灯により端末装置１から通知された収納部８３の場所を出力することとしている。この点、収納側出力部の出力態様は任意であり、ＬＥＤ８３１の点灯／消灯に限らず、任意の態様により収納部８３の場所を出力することとしてもよい。
【符号の説明】
【００８９】
１・・・端末装置、２・・・操作受付部、３・・・端末側出力部、４・・・記憶部、５・・・読取部、６・・・通信部、７・・・制御部、７１・・・作成部、７２・・・決定部、７３・・・特定部、７４・・・通知部、７５・・・管理部、８０・・・薬収納装置、８１・・・通信部、８２・・・制御部、８３・・・収納部、８３１・・・ＬＥＤ、８３２・・・ロック部、Ｓ・・・薬提供システム
【図１】
2015207184.tif 000003
【図２】
2015207184.tif 000004
【図３】
2015207184.tif 000005
【図４】
2015207184.tif 000006
【図５】
2015207184.tif 000007
【図６】
2015207184.tif 000008
【図７】
2015207184.tif 000009
【図８】
2015207184.tif 000010